(57)【要約】  ＲＡＴ間ハンドオーバのためのパイロット探索ウィンドウサイズ選択を最適化するためのシステムが実装される、ワイヤレス通信のための方法、装置、およびコンピュータプログラム製品が提供される。ＩＷＳは、ｅＮＢによって要求され、ＵＥによって実行される測定から取得された、１ｘネットワーク中の各１ｘパイロットＰＮについての少なくとも１つの測定値を含むメッセージを受信し得る。ＩＷＳは、１ｘネットワーク中でのパイロット探索のために使用するために、ＵＥについての少なくとも１つの測定値に基づいて、パイロット探索のための１つまたは複数のパラメータを選択し得る。さらに、ＩＷＳは、１ｘネットワーク中でのパイロット探索のために、パイロット探索のための選択された１つまたは複数のパラメータをＵＥに送信し得る。【選択図】      図７
2013540383.tif 000002
【特許請求の範囲】
【請求項１】
インターワーキングソリューション（ＩＷＳ）が、発展型ノードＢ（ｅＮＢ）によって要求され、ユーザ機器（ＵＥ）によって実行される測定から取得された、１ｘネットワーク中の各１ｘパイロット擬似雑音（ＰＮ）についての少なくとも１つの測定値を含むメッセージを受信することと、
前記１ｘネットワーク中でのパイロット探索のために使用するために、前記ＵＥについての前記少なくとも１つの測定値に基づいて、パイロット探索のための１つまたは複数のパラメータを選択することと、
前記１ｘネットワーク中でのパイロット探索のために、パイロット探索のための前記選択された１つまたは複数のパラメータを前記ＵＥに送信することと
を備える、ワイヤレス通信の方法。
【請求項２】
前記少なくとも１つの測定値が、
各１ｘパイロットＰＮの探索ウィンドウサイズ、または
パイロットＰＮ位相値であって、前記パイロットＰＮ位相値が探索オフセットウィンドウを判断するために使用される、パイロットＰＮ位相値
のうちの少なくとも１つを備える、請求項１に記載の方法。
【請求項３】
測定のために使用される前記探索ウィンドウサイズが、前記ｅＮＢによって記憶された最大探索ウィンドウサイズとして選択される、請求項２に記載の方法。
【請求項４】
前記選択することが、
最適探索ウィンドウサイズ、または
最適探索オフセット値
のうちの少なくとも１つを選択することをさらに備える、請求項１に記載の方法。
【請求項５】
前記最適探索ウィンドウサイズを前記選択することが、
各アクティブな候補１ｘＰＮのウィンドウサイズを判断することと、
前記１ｘネットワーク中のネイバーセットの探索ウィンドウサイズを判断することと、
前記１ｘネットワーク中の各残りのセットの探索ウィンドウを判断することと
をさらに備える、請求項４に記載の方法。
【請求項６】
前記少なくとも１つの測定値がパイロットＰＮ位相値であり、前記最適探索オフセット値を前記選択することが、
前記少なくとも１つの測定値がしきい位相値を超えると判断することと、
前記少なくとも１つの測定値のピーク位相値に基づいて前記最適探索オフセット値を判断することと
をさらに備える、請求項４に記載の方法。
【請求項７】
前記受信することが、アップリンクＣ２Ｋトンネリングメッセージを使用して前記メッセージを受信することをさらに備える、請求項１に記載の方法。
【請求項８】
前記送信することが、ハンドオフ指示メッセージを使用してパイロット探索値のための前記選択された１つまたは複数のパラメータを送信することをさらに備える、請求項１に記載の方法。
【請求項９】
前記送信することが、ネイバーリストにハンドオフ指示メッセージを与えるためのメッセージを使用して、パイロット探索のための前記選択された１つまたは複数のパラメータを送信することをさらに備える、請求項８に記載の方法。
【請求項１０】
前記ＩＷＳと基地局とが、地理的に分離されたエンティティである、請求項１に記載の方法。
【請求項１１】
前記方法が回線交換フォールバック（ＣＳＦＢ）プロシージャを備え、前記受信することが、パイロットチャネル情報要素を使用して前記少なくとも１つの測定値を受信することをさらに備える、請求項１に記載の方法。
【請求項１２】
前記方法が発展型高レートパケットデータ（ｅＨＲＰＤ）最適化ハンドオーバを備える、請求項１に記載の方法。
【請求項１３】
ＩＷＳが、ｅＮＢによって要求され、ＵＥによって実行される測定から取得された、１ｘネットワーク中の各１ｘパイロットＰＮについての少なくとも１つの測定値を含むメッセージを受信するための手段と、
前記１ｘネットワーク中でのパイロット探索のために使用するために、前記ＵＥについての前記少なくとも１つの測定値に基づいて、パイロット探索のための１つまたは複数のパラメータを選択するための手段と、
前記１ｘネットワーク中でのパイロット探索のために、パイロット探索のための前記選択された１つまたは複数のパラメータを前記ＵＥに送信するための手段と
を備える、ワイヤレス通信のための装置。
【請求項１４】
ＩＷＳが、ｅＮＢによって要求され、ＵＥによって実行される測定から取得された、１ｘネットワーク中の各１ｘパイロットＰＮについての少なくとも１つの測定値を含むメッセージを受信することと、
前記１ｘネットワーク中でのパイロット探索のために使用するために、前記ＵＥについての前記少なくとも１つの測定値に基づいて、１つまたは複数のパラメータを選択することと、
前記１ｘネットワーク中でのパイロット探索のために、パイロット探索のための前記選択された１つまたは複数のパラメータを前記ＵＥに送信することと
を行うのためのコードを備えるコンピュータ可読媒体
を備える、コンピュータプログラム製品。
【請求項１５】
ＩＷＳが、ｅＮＢによって要求され、ＵＥによって実行される測定から取得された、１ｘネットワーク中の各１ｘパイロットＰＮについての少なくとも１つの測定値を含むメッセージを受信することと、
前記１ｘネットワーク中でのパイロット探索のために使用するために、前記ＵＥについての前記少なくとも１つの測定値に基づいて、パイロット探索のための１つまたは複数のパラメータを選択することと、
前記１ｘネットワーク中でのパイロット探索のために、パイロット探索のための前記選択された１つまたは複数のパラメータを前記ＵＥに送信することと
を行うように構成された処理システム
を備える、ワイヤレス通信のための装置。
【請求項１６】
前記少なくとも１つの測定値が、
各１ｘパイロットＰＮの探索ウィンドウサイズ、または
パイロットＰＮ位相値であって、前記パイロットＰＮ位相値が探索オフセットウィンドウを判断するために使用される、パイロットＰＮ位相値
のうちの少なくとも１つを備える、請求項１５に記載の装置。
【請求項１７】
測定のために使用される前記探索ウィンドウサイズが、前記ｅＮＢによって記憶された最大探索ウィンドウサイズとして選択される、請求項１６に記載の装置。
【請求項１８】
前記処理システムが、
最適探索ウィンドウサイズ、または
最適探索オフセット値
のうちの少なくとも１つを選択するようにさらに構成された、請求項１５に記載の装置。
【請求項１９】
前記処理システムが、
各アクティブな候補１ｘＰＮのウィンドウサイズを判断することと、
前記１ｘネットワーク中のネイバーセットの探索ウィンドウサイズを判断することと、
前記１ｘネットワーク中の各残りのセットの探索ウィンドウを判断することと
を行うようにさらに構成された、請求項１５に記載の装置。
【請求項２０】
前記少なくとも１つの測定値がパイロットＰＮ位相値であり、前記処理システムは、
前記少なくとも１つの測定値がしきい位相値を超えると判断することと、
前記少なくとも１つの測定値のピーク位相値に基づいて前記最適探索オフセット値を判断することと
を行うようにさらに構成された、請求項１５に記載の装置。
【請求項２１】
前記処理システムが、アップリンクＣ２Ｋトンネリングメッセージを使用して前記メッセージを受信するようにさらに構成された、請求項１５に記載の装置。
【請求項２２】
前記処理システムが、ハンドオフ指示メッセージを使用して前記選択された１つまたは複数のフォールバック値を送信するようにさらに構成された、請求項１５に記載の装置。
【請求項２３】
前記処理システムが、ネイバーリストにハンドオフ指示メッセージを与えるためのメッセージを使用して、パイロット探索のための前記選択された１つまたは複数のパラメータを送信するようにさらに構成された、請求項２２に記載の装置。
【請求項２４】
前記ＩＷＳと基地局とが、地理的に分離されたエンティティである、請求項１５に記載の装置。
【請求項２５】
前記装置がＣＳＦＢプロシージャを実行するように動作可能であり、前記処理システムが、パイロットチャネル情報要素を使用して前記少なくとも１つの測定値を受信するようにさらに構成された、請求項１５に記載の装置。
【請求項２６】
前記装置が、ｅＨＲＰＤ最適化ハンドオーバを実行するように動作可能である、請求項１５に記載の装置。
【請求項２７】
発展型ノードＢ（ｅＮＢ）が、複数の１ｘパイロットＰＮの各々についての探索ウィンドウサイズ値を記憶することと、
前記記憶された探索ウィンドウサイズ値の最大探索ウィンドウサイズ値を判断することと、
前記最大探索ウィンドウサイズ値を使用して前記複数の１ｘパイロットＰＮについての測定を実行するようにユーザ機器（ＵＥ）に促すように測定対象を構成することと、
前記測定対象を前記ＵＥに送信することと
を備える、ワイヤレス通信の方法。
【請求項２８】
前記送信された測定対象に応答して前記ＵＥから測定報告を受信することであって、前記測定報告が、前記複数の１ｘパイロットＰＮの各々に関連するパイロット強度値を含む、受信することと、
前記複数の１ｘパイロットＰＮの各々についての前記パイロット強度値と前記記憶された探索ウィンドウサイズ値とを含むパイロットリストメッセージを生成することと、
前記パイロットリストメッセージをインターワーキングソリューション（ＩＷＳ）に送信することと
をさらに備える、請求項２７に記載の方法。
【請求項２９】
前記送信することが、アップリンクＣ２Ｋトンネリングメッセージを使用して前記パイロットリストメッセージを送信することをさらに備える、請求項２８に記載の方法。
【請求項３０】
ｅＮＢが、複数の１ｘパイロットＰＮの各々についての探索ウィンドウサイズ値を記憶するための手段と、
前記記憶された探索ウィンドウサイズ値の最大探索ウィンドウサイズ値を判断するための手段と、
前記最大探索ウィンドウサイズ値を使用して前記複数の１ｘパイロットＰＮについての測定を実行するようにＵＥに促すように測定対象を構成するための手段と、
前記測定対象を前記ＵＥに送信するための手段と
を備える、ワイヤレス通信のための装置。
【請求項３１】
ｅＮＢが、複数の１ｘパイロットＰＮの各々についての探索ウィンドウサイズ値を記憶することと、
前記記憶された探索ウィンドウサイズ値の最大探索ウィンドウサイズ値を判断することと、
前記最大探索ウィンドウサイズ値を使用して前記複数の１ｘパイロットＰＮについての測定を実行するようにＵＥに促すように測定対象を構成することと、
前記測定対象を前記ＵＥに送信することと
を行うためのコードを備えるコンピュータ可読媒体
を備える、コンピュータプログラム製品。
【請求項３２】
ｅＮＢが、複数の１ｘパイロットＰＮの各々についての探索ウィンドウサイズ値を記憶することと、
前記記憶された探索ウィンドウサイズ値の最大探索ウィンドウサイズ値を判断することと、
前記最大探索ウィンドウサイズ値を使用して前記複数の１ｘパイロットＰＮについての測定を実行するようにＵＥに促すように測定対象を構成することと、
前記測定対象を前記ＵＥに送信することと
を行うように構成された処理システム
を備える、ワイヤレス通信のための装置。
【請求項３３】
前記処理システムが、
前記送信された測定対象に応答して前記ＵＥから測定報告を受信することであって、前記測定報告が、前記複数の１ｘパイロットＰＮの各々に関連するパイロット強度値を含む、受信することと、
前記複数の１ｘパイロットＰＮの各々についての前記パイロット強度値と前記記憶された探索ウィンドウサイズ値とを含むパイロットリストメッセージを生成することと、
前記パイロットリストメッセージをインターワーキングソリューション（ＩＷＳ）に送信することと
を行うようにさらに構成された、請求項３２に記載の装置。
【請求項３４】
前記処理システムが、アップリンクＣ２Ｋトンネリングメッセージを使用して前記パイロットリストメッセージを送信するようにさらに構成された、請求項３３に記載の装置。
【発明の詳細な説明】
【技術分野】
【０００１】
関連出願の相互参照
本出願は、その全体が参照により本明細書に明確に組み込まれる、２０１０年８月１３日に出願された「A Method and Apparatus for Pilot Search Window Size Determination in Traffic Channel Assignment Process for Inter RAT Handover」と題する米国仮出願第６１／３７３，３５２号、および２０１０年９月１日に出願された「A Method and Apparatus for Pilot Search Window Size Determination in Traffic Channel Assignment Process for Inter RAT Handover」と題する米国仮出願第６１／３７９，０７９号の利益を主張する。
【０００２】
本開示は、一般に通信システムに関し、より詳細には、無線アクセス技術（ＲＡＴ）間通信中にパイロット探索（search）ウィンドウサイズ選択を最適化するためのシステムおよび方法に関する。
【背景技術】
【０００３】
ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
これら多元接続技術は、異なるワイヤレスデバイスが都市、国家、地域、さらには地球規模で通信することを可能にする共通プロトコルを与えるために様々な電気通信規格において採用されている。新生の電気通信規格の一例はＬｏｎｇ  Ｔｅｒｍ  Ｅｖｏｌｕｔｉｏｎ（ＬＴＥ）である。ＬＴＥは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ（登録商標））によって公表されたＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）モバイル規格の拡張セットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００６】
１つまたは複数の態様およびそれの対応する開示に従って、ＲＡＴ間通信中にパイロット探索（search）ウィンドウサイズ選択を最適化することに関して、様々な態様について説明する。一態様によれば、ワイヤレス通信における方法が提供される。本方法は、インターワーキングソリューション（ＩＷＳ）が、発展型ノードＢ（ｅＮＢ）によって要求され、ユーザ機器（ＵＥ）によって実行される測定から取得された、１ｘネットワーク中の各１ｘパイロット擬似雑音（ＰＮ）についての少なくとも１つの測定値を含むメッセージを受信することを含むことができる。さらに、本方法は、１ｘネットワーク中でのパイロット探索のために使用するために、ＵＥについての少なくとも１つの測定値に基づいて、パイロット探索のための１つまたは複数のパラメータを選択することを含むことができる。その上、本方法は、１ｘネットワーク中でのパイロット探索のために、パイロット探索のための選択された１つまたは複数のパラメータをＵＥに送信することを含むことができる。
【０００７】
別の態様は装置に関する。本装置は、ＩＷＳが、ｅＮＢによって要求され、ＵＥによって実行される測定から取得された、１ｘネットワーク中の各１ｘパイロットＰＮについての少なくとも１つの測定値を含むメッセージを受信するように構成された処理システムを含むことができる。さらに、本処理システムは、１ｘネットワーク中でのパイロット探索のために使用するために、ＵＥについての少なくとも１つの測定値に基づいて、パイロット探索のための１つまたは複数のパラメータを選択するように構成され得る。その上、本処理システムは、１ｘネットワーク中でのパイロット探索のために、パイロット探索のための選択された１つまたは複数のパラメータをＵＥに送信するように構成され得る。
【０００８】
別の態様は、コンピュータ可読媒体を備えるコンピュータプログラム製品に関する。本コンピュータ可読媒体は、ＩＷＳが、ｅＮＢによって要求され、ＵＥによって実行される測定から取得された、１ｘネットワーク中の各１ｘパイロットＰＮについての少なくとも１つの測定値を含むメッセージを受信するためのコードを備え得る。さらに、本コンピュータ可読媒体は、１ｘネットワーク中でのパイロット探索のために使用するために、ＵＥについての少なくとも１つの測定値に基づいて、パイロット探索のための１つまたは複数のパラメータを選択するためのコードを備え得る。その上、本コンピュータ可読媒体は、１ｘネットワーク中でのパイロット探索のために、パイロット探索のための選択された１つまたは複数のパラメータをＵＥに送信するためのコードを備え得る。
【０００９】
さらに別の態様は装置に関する。本装置は、ＩＷＳが、ｅＮＢによって要求され、ＵＥによって実行される測定から取得された、１ｘネットワーク中の各１ｘパイロットＰＮについての少なくとも１つの測定値を含むメッセージを受信するための手段を備え得る。さらに、本装置は、１ｘネットワーク中でのパイロット探索のために使用するために、ＵＥについての少なくとも１つの測定値に基づいて、パイロット探索のための１つまたは複数のパラメータを選択するための手段を含み得る。その上、本装置は、１ｘネットワーク中でのパイロット探索のために、パイロット探索のための選択された１つまたは複数のパラメータをＵＥに送信するための手段を含み得る。
【００１０】
上記および関係する目的を達成するために、１つまたは複数の態様は、以下で十分に説明し、特に特許請求の範囲で指摘する特徴を備える。以下の説明および添付の図面に、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【図面の簡単な説明】
【００１１】
添付の図面とともに以下に説明する開示する態様は、開示する態様を限定するためではなく、開示する態様を例示するために与えられ、同様の表示は同様の要素を示す。
【図１】処理システムを採用する装置のためのハードウェア実装形態の一例を示す図。
【図２】ネットワークアーキテクチャの一例を示す図。
【図３】アクセスネットワークの一例を示す図。
【図４】一態様による、ＲＡＴ間通信のためのパイロット探索ウィンドウサイズ選択を最適化するための例示的なシステムを記述するコールフロー図。
【図５】一態様による、ＲＡＴ間通信のためのパイロット探索ウィンドウサイズ選択を最適化するための別の例示的なシステムを記述するコールフロー図。
【図６】一態様による、ＲＡＴ間通信システムの例示的なブロック図。
【図７】ワイヤレス通信の方法のフローチャート。
【図８】ワイヤレス通信の別の方法のフローチャート。
【図９】例示的な装置の機能を示す概念ブロック図。
【図１０】別の例示的な装置の機能を示す概念ブロック図。
【発明を実施するための形態】
【００１２】
添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１３】
次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００１４】
例として、要素、または要素の任意の部分、または要素の任意の組合せは、１つまたは複数のプロセッサを含む「処理システム」を用いて実装され得る。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１５】
したがって、１つまたは複数の例示的な実施形態では、説明する機能は、ハードウェア、ソフトウェア、ファームウェア、またはそれらの任意の組合せで実装され得る。ソフトウェアで実装した場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、この場合、ディスク（disk）は、通常、データを磁気的に再生し、ディスク（disc）はデータをレーザで光学的に再生する。上記の組合せもコンピュータ可読媒体の範囲内に含めるべきである。
【００１６】
図１は、処理システム１１４を採用する装置１００のためのハードウェア実装形態の一例を示す概念図である。この例では、処理システム１１４は、バス１０２によって概略的に表されるバスアーキテクチャを用いて実装され得る。バス１０２は、処理システム１１４の特定の適用例および全体的な設計制約に応じて、任意の数の相互接続バスおよびブリッジを含み得る。バス１０２は、プロセッサ１０４によって概略的に表される１つまたは複数のプロセッサと、コンピュータ可読媒体１０６によって概略的に表されるコンピュータ可読媒体とを含む様々な回路を互いにリンクする。バス１０２はまた、タイミングソース、周辺機器、電圧調整器、および電力管理回路など、様々な他の回路をリンクし得るが、これらの回路は当技術分野においてよく知られており、したがって、これ以上説明しない。バスインターフェース１０８は、バス１０２とトランシーバ１１０との間のインターフェースを与える。トランシーバ１１０は、伝送媒体上で様々な他の装置と通信するための手段を与える。装置の性質に応じて、ユーザインターフェース１１２（たとえば、キーパッド、ディスプレイ、スピーカ、マイクロホン、ジョイスティック）も与えられ得る。
【００１７】
プロセッサ１０４は、バス１０２を管理することと、コンピュータ可読媒体１０６に記憶されたソフトウェアの実行を含む一般的な処理とを担当する。ソフトウェアは、プロセッサ１０４によって実行されたとき、処理システム１１４に、特定の装置のための以下で説明する様々な機能を実行させる。コンピュータ可読媒体１０６はまた、ソフトウェアを実行するときにプロセッサ１０４によって操作されるデータを記憶するために使用され得る。
【００１８】
図２は、様々な装置１００（図１参照）を採用する拡張パケットシステムアーキテクチャ２００を示す図である。ＥＰＳ２００は、１つまたは複数のユーザ機器（ＵＥ）２０２と、発展型ＵＭＴＳ地上波無線アクセスネットワーク（Ｅ−ＵＴＲＡＮ：Evolved UMTS Terrestrial Radio Access Network）２０４と、発展型パケットコア（ＥＰＣ：Evolved Packet Core）２１０と、ホーム加入者サーバ（ＨＳＳ：Home Subscriber Server）２２０と、事業者のＩＰサービス２２２とを含み得る。ＥＰＳは、回線交換網２３０などの他のアクセスネットワークと相互接続することができる。図示のように、ＥＰＳはパケット交換サービスを与えるが、当業者なら容易に諒解するように、本開示全体にわたって提示する様々な概念は、回線交換サービスを与えるネットワークに拡張され得る。
【００１９】
Ｅ−ＵＴＲＡＮは、発展型ノードＢ（ｅＮＢ）２０６と他のｅＮＢ２０８とを含む。ｅＮＢ２０６は、ＵＥ２０２に対してユーザプレーンプロトコル終端と制御プレーンプロトコル終端とを与える。ｅＮＢ２０６は、Ｘ２インターフェース（すなわち、バックホール（backhaul））を介して他のｅＮＢ２０８に接続され得る。ｅＮＢ２０６は、当業者によって、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ２０６は、ＵＥ２０２にＥＰＣ２１０へのアクセスポイントを与える。ＵＥ２０２の例には、セルラー電話、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ２０２は、当業者によって、移動局、加入者局、モバイルユニット、加入者ユニット、ワイヤレスユニット、リモートユニット、モバイルデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２０】
ｅＮＢ２０６はＳ１インターフェースによってＥＰＣ２１０に接続される。ＥＰＣ２１０は、モビリティ管理エンティティ（ＭＭＥ：Mobility Management Entity）２１２と、他のＭＭＥ２１４と、サービングゲートウェイ２１６と、パケットデータネットワーク（ＰＤＮ：Packet Data Network）ゲートウェイ２１８とを含む。ＭＭＥ２１２は、ＵＥ２０２とＥＰＣ２１０との間のシグナリングを処理する制御ノードである。概して、ＭＭＥ２１２はベアラおよび接続管理を行う。すべてのユーザＩＰパケットはサービングゲートウェイ２１６を通して転送され、サービングゲートウェイ２１６自体はＰＤＮゲートウェイ２１８に接続される。ＰＤＮゲートウェイ２１８はＵＥのＩＰアドレス割振りならびに他の機能を与える。ＰＤＮゲートウェイ２１８は事業者のＩＰサービス２２２に接続される。事業者のＩＰサービス２２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含む。
【００２１】
回線交換システム２３０は、インターワーキングソリューション（ＩＷＳ）２３２と、モビリティ交換センター（ＭＳＣ）２３４と、基地局２３６と、移動局２３８とを含む。一態様では、回線交換システム２３０は、ＩＷＳ２３２とＭＭＥ２１２とを介してＥＰＳ２００と通信し得る。図４および図５では、回線交換システム２３０がＥＰＳ２００と通信し得る様々な動作プロセスについて説明する。一態様では、回線交換システム２３０とＥＰＳ２００との間でＵＥ２０２のハンドオーバが行われる得る。一態様では、そのようなハンドオーバは、１ｘ回線交換フォールバック（１ｘＣＳＦＢ）に関連し得る。別の態様では、図４および図５で説明する同様のプロセスは、発展型高レートパケットデータ（ｅＨＲＰＤ：evolved high rate packet data）最適化ハンドオーバのためのＲＡＴ間通信に適用可能であり得る。
【００２２】
概して、回線交換システム２３０では、移動局２３８は基地局２３６から与えられたパイロット探索ウィンドウサイズを使用する。ウィンドウサイズが大きい場合、最良のパイロットを見つける可能性は高まり得るが、そのようなウィンドウサイジングにより、不必要に時間が長くなることがあり、したがって、呼（call）セットアップ時間を延長し得る。ウィンドウサイズは、たとえば、セルのサイズ、電波伝播の遅延拡散、リピータの存在など、無線環境に関連する様々なファクタに基づいて最適化され得る。最適化ファクタは各セルサイトで異なり得る。１ｘ回線交換フォールバック（１ｘＣＳＦＢ）プロシージャでは、ＩＷＳ２３２は、ＵＥ２０２からの測定報告に基づいてチャネル割当てのためにパイロットＰＮをピックアップし得る。一態様では、ＩＷＳ２３２は、１ｘＢＳＣ２３６、またはスタンドアロンエンティティと共同設置され得る。ＩＷＳ２３２が１ｘＢＳＣ２３６と連結される場合、ＩＷＳは、１ｘＢＳＣ２３６に関連するセルサイトのウィンドウサイズを判断し得る。ただし、ＩＷＳ２３２がスタンドアロンエンティティである場合、各１ｘ基地局２３６の探索ウィンドウサイズはＩＷＳ２３２において構成されないことがある。さらに、ＵＥ２０２が１ｘトラフィックチャネルを捕捉するために回線交換システム２３０に同調する前に、ウィンドウサイズ選択が行われる。ウィンドウサイズを取得するためのいくつかの方法には、ＳＩＢ８中でのパラメータの使用、ＲＲＣ接続再構成における測定対象の使用、ｃｄｍａ２０００パラメータメッセージの使用、１ｘチャネル割当てメッセージ（ＵＨＤＭ）の使用などがある。これらのオプションのいくつかはｅＮＢ２０４によって管理される。これらのオプションでは、ただ１つの値が含まれ得るので、ｅＮＢ２０４によってカバーされるＰＮの中で最大ウィンドウサイズが選択され得る。他のオプションはＩＷＳ２３２によって管理される。一態様では、同期を保つことは面倒な動作であり得るので、ｅＮＢ２０４とＩＷＳ２３２とによって与えられたウィンドウサイズ値は同期していないことがある。したがって、ＵＥ２０２は、チャネルの最適化ウィンドウサイズを与えられないことがある。言い換えれば、ｅＮＢ２０４とＩＷＳ２３２とが同期していない場合、ｅＮＢ２０４によって設定されたウィンドウサイズは、ＩＷＳ２３２によって割り当てられたチャネルに対して最適化されていないことがある。ＲＡＴ間通信のためのパイロット探索ウィンドウサイズ選択を最適化するための様々な方式については、図４および図５に関して詳細に説明する。
【００２３】
図３は、ＬＴＥネットワークアーキテクチャにおけるアクセスネットワークの一例を示す図である。この例では、アクセスネットワーク３００は、いくつかのセルラー領域（セル）３０２に分割される。１つまたは複数のより低い電力クラスのｅＮＢ３０８、３１２は、セル３０２のうちの１つまたは複数と重複する、それぞれ、セルラー領域３１０、３１４を有し得る。より低い電力クラスのｅＮＢ３０８、３１２は、フェムトセル（たとえば、ホームｅＮＢ（ＨｅＮＢ））、ピコセル、またはマイクロセルであり得る。より高い電力クラスのｅＮＢまたはマクロｅＮＢ３０４は、セル３０２に割り当てられ、セル３０２中のすべてのＵＥ３０６にＥＰＣ２１０へのアクセスポイントを与えるように構成される。アクセスネットワーク３００のこの例には集中コントローラはないが、代替構成では集中コントローラが使用され得る。ｅＮＢ３０４は、無線ベアラ制御、承認制御、モビリティ制御、スケジューリング、セキュリティ、およびサービングゲートウェイ２１６（図２参照）への接続性を含む、すべての無線関係機能を担当する。
【００２４】
アクセスネットワーク３００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の通信規格に容易に拡張され得る。例として、これらの概念は、Ｅｖｏｌｕｔｉｏｎ−Ｄａｔａ  Ｏｐｔｉｍｉｚｅｄ（ＥＶ−ＤＯ）またはＵｌｔｒａ  Ｍｏｂｉｌｅ  Ｂｒｏａｄｂａｎｄ（ＵＭＢ）に拡張され得る。ＥＶ−ＤＯおよびＵＭＢは、ＣＤＭＡ２０００規格ファミリーの一部として３ｒｄ  Ｇｅｎｅｒａｔｉｏｎ  Ｐａｒｔｎｅｒｓｈｉｐ  Ｐｒｏｊｅｃｔ  ２（３ＧＰＰ２）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ）、ならびにＴＤ−ＳＣＤＭＡ、ＴＤＭＡを採用するＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＯＦＤＭＡを採用するＦｌａｓｈ−ＯＦＤＭなど、ＣＤＭＡの他の変形態を採用するＵｎｉｖｅｒｓａｌ  Ｔｅｒｒｅｓｔｒｉａｌ  Ｒａｄｉｏ  Ａｃｃｅｓｓ（ＵＴＲＡ）に拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２５】
ｅＮＢ３０４は、ＭＩＭＯ技術をサポートする複数のアンテナを有し得る。ＭＩＭＯ技術の使用により、ｅＮＢ３０４は、空間多重化、ビームフォーミング、および送信ダイバーシティをサポートするために空間領域を活用することが可能になる。
【００２６】
空間多重化は、データの異なるストリームを同じ周波数上で同時に送信するために使用され得る。データストリームは、データレートを増加させるために単一のＵＥ３０６に送信されるか、または全体的なシステム容量を増加させるために複数のＵＥ３０６に送信され得る。これは、各データストリームを空間的にプリコードし（すなわち、振幅および位相のスケーリングを適用し）、次いでダウンリンク上で複数の送信アンテナを通して空間的にプリコードされた各ストリームを送信することによって達成される。空間的にプリコードされたデータストリームは、異なる空間シグナチャとともに（１つまたは複数の）ＵＥ３０６に到着し、これにより、（１つまたは複数の）ＵＥ３０６の各々がそのＵＥ３０６に宛てられた１つまたは複数のデータストリームを復元することが可能になる。アップリンク上で、各ＵＥ３０６は、空間的にプリコードされたデータストリームを送信し、これにより、ｅＮＢ３０４は、空間的にプリコードされた各データストリームのソースを識別することが可能になる。
【００２７】
空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコードすることによって達成され得る。セルのエッジにおいて良好なカバレージを達成するために、送信ダイバーシティと組み合わせてシングルストリームビームフォーミング送信が使用され得る。
【００２８】
以下の詳細な説明では、ダウンリンク上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。アップリンクは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２９】
図４、図５、および図７に、提示する主題の様々な態様による様々な方法を示す。説明を簡単にするために、方法を一連の行為（acts）またはシーケンスステップとして図示および説明するが、いくつかの行為は本明細書で図示および説明する行為とは異なる順序で、および／または他の行為と同時に、行われ得るので、請求する主題は行為の順序によって限定されないことを理解および諒解されたい。たとえば、方法は、状態図など、一連の相互に関係する状態またはイベントとして代替的に表現され得ることを、当業者は理解し、諒解するであろう。さらに、請求する主題による方法を実装するために、図示のすべての行為が必要とされるわけではない。さらに、以下および本明細書の全体にわたって開示する方法は、そのような方法をコンピュータに移送および転送することを可能にする製造品に記憶することが可能であることをさらに諒解されたい。本明細書で使用する製造品という用語は、任意のコンピュータ可読デバイス、キャリア、または媒体からアクセス可能なコンピュータプログラムを包含するものとする。
【００３０】
概して、図４および図５に関して、ＵＥとｅＮＢとの間の通信は、アップリンクおよびダウンリンク情報転送とともにＬＴＥ  ＲＡＴを使用してサポートされ得る。さらに、ｅＮＢとＭＭＥとの間の通信は、Ｓ１インターフェースを介してサポートされ得、Ｓ１  ｃｄｍａ２０００トンネリング（tunneling）を可能にし得る。またさらに、ＭＭＥとＩＷＳとの間の通信は、Ｓ１０２インターフェースを介してサポートされ得、Ａ２１インターフェースシグナリングを可能にし得る。
【００３１】
図４に、ＲＡＴ間通信のための最適ウィンドウサイジングを与えるためのシステム４００を記述するコールフロー図を示す。システム４００は、ＵＥ２０２などのＵＥ４０２と、ｅＮＢ２０６などのｅＮＢ４０４と、ＭＭＥ２１２などのＭＭＥ４０６と、ＩＷＳ２３２などのＩＷＳ４０８と、１ｘＭＳＣ２３４などの１ｘＭＳＣ４１０と、基地局２３６などの１ｘＢＳ４１２とを含む。
【００３２】
行為（act;アクト）４１４において、ｅＮＢ４０４は、１ｘパイロットＰＮの探索ウィンドウサイズを記憶する。行為４１６において、ＵＥ４０２がボイス呼を発信する。ボイス呼発信に応答して、ＵＥ４０２は、行為４１８において、ＭＭＥ４０６と通信し、拡張サービス要求を行う。行為４２０において、ＭＭＥ４０６は、たとえば、１ｘＣＳＦＢのための初期コンテキストセットアップを実行する。行為４２２において、ＵＥ４０２は、測定を実行し、ｅＮＢ４０４に測定結果を報告する。一態様では、ｅＮＢ４０４は、行為４１４において、測定対象中の記憶されたＰＮの中のウィンドウサイズを最大値に設定し得る。
【００３３】
行為４２４において、ｅＮＢ４０４は、ハンドオーバ準備要求をＵＥ４０２に送信する。行為４２６ｂおよび４２６ｃにおいて、探索ウィンドウ情報をＩＷＳ４０８に送信する。一態様では、１ｘパイロット測定が１ｘＣＳＦＢのために実行された場合、ＵＥ４０２は、パイロットリスト情報要素（ＩＥ：information element）中で１ｘパイロット測定結果を通信する。ｅＮＢ４０４がＵＬ  Ｃ２Ｋトンネリングメッセージ中でパイロットリストＩＥを送るとき、ｅＮＢ４０４は、パイロットリストＩＥ中の報告されたＰＮに関連する各パイロットについての行為４１４において記憶されたウィンドウサイズを含む。行為４３０において、ＩＷＳ４０８は、ハンドオーバをセットアップするために１ｘＭＳＣ４１０と通信する。一態様では、そのような通信は、１ｘＭＳＣ４１０へのサービス要求送信と、１ｘＭＳＣ４１０からＩＷＳ４０８への割当て要求とを含む。
【００３４】
行為４３２において、ＩＷＳ４０８は探索ウィンドウ値を判断する。一態様では、ＩＷＳ４０８が１つまたは複数のチャネルを割り当てるとき、ＩＷＳ４０８は、ｅＮＢ４０４によって与えられた情報に基づいてウィンドウサイズを判断する。行為４３４ａ、４３４ｂ、および４３４ｃにおいて、ウィンドウサイズ値をＵＥ４０２に通信する。一態様では、ＩＷＳ４０８は、割り当てられた（１つまたは複数の）ＰＮとともに１ｘユニバーサルハンドオフ指示メッセージ（ＵＨＤＭ：Universal Handoff Direction Message）中のウィンドウサイズ（たとえば、アクティブな候補セット（candidate set）のための探索ウィンドウ、ネイバーセット（neighbor set）のための探索ウィンドウ、残りのセットのための探索ウィンドウなど）を通信する。行為４３６において、ＵＥ４０２は、１ｘネイティブ動作に従ってＵＨＤＭ中の探索ウィンドウサイズを使用して１ｘＢＳ４１２と通信する。
【００３５】
図５に、ＲＡＴ間通信のための最適ウィンドウサイジングを与えるためのシステム５００を記述するコールフロー図を示す。システム５００は、ＵＥ２０２などのＵＥ５０２と、ｅＮＢ２０６などのｅＮＢ５０４と、ＭＭＥ２１２などのＭＭＥ５０６と、ＩＷＳ２３２などのＩＷＳ５０８と、１ｘＭＳＣ２３４などの１ｘＭＳＣ５１０と、基地局２３６などの１ｘＢＳ５１２とを含む。
【００３６】
行為５１４において、ＵＥ５０２がボイス呼を発信する。ボイス呼発信に応答して、ＵＥ５０２は、行為５１６において、ＭＭＥ５０６と通信し、拡張サービス要求を行う。行為５１８において、ＭＭＥ５０６は、たとえば、１ｘＣＳＦＢのための初期コンテキストセットアップを実行する。
【００３７】
行為５２０において、ｅＮＢ５０４は、測定報告においてパイロット強度とパイロットＰＮ位相の両方を報告するようにＵＥに促すように測定対象を構成する。行為５２２において、ＵＥ５０２は、測定を実行し、ｅＮＢ５０４に測定結果を報告する。
【００３８】
行為５２４において、ｅＮＢ５０４は、ハンドオーバ準備要求をＵＥ５０２に送信する。行為５２６ｂおよび５２６ｃにおいて、パイロットＰＮ位相情報をＩＷＳ５０８に送信する。一態様では、行為５２６ａにおいて、ｅＮＢ５０４は、ＧＣＳＮＡカプセル化１ｘ開始メッセージを含んでいるＵＬハンドオーバ準備転送を受信し、次いで、行為５２６ｂおよび５２６ｃにおいて、測定結果（たとえば、Ａ２１パイロットリストＩＥ）とともに、ＧＣＳＮＡカプセル化１ｘ開始メッセージをフォワーディングする。Ａ２１パイロットリストＩＥは、各ＰＮについての測定されたパイロット強度およびパイロットＰＮ位相を含む。行為５３０において、ＩＷＳ５０８は、ハンドオーバをセットアップするために１ｘＭＳＣ５１０と通信する。一態様では、そのような通信は、１ｘＭＳＣ５１０へのサービス要求送信と、１ｘＭＳＣ５１０からＩＷＳ５０８への割当て要求とを含む。
【００３９】
行為５３２において、ＩＷＳ５０８は探索オフセット値を判断する。一態様では、ＩＷＳ５０８は、報告されたパイロットＰＮ位相に基づいて探索オフセット値（たとえば、ＳＲＣＨ＿ＯＦＦＳＥＴ）を適宜に判断する。たとえば、測定されたパイロットのピーク位相がしきい値を超える場合、ＳＲＣＨ＿ＯＦＦＳＥＴが設定され得る。行為５３４ａ、５３４ｂ、および５３４ｃにおいて、探索ウィンドウサイズ値と探索オフセット値とをＵＥ５０２に通信する。一態様では、ＩＷＳ５０８は、割り当てられた（１つまたは複数の）ＰＮとともに１ｘＵＨＤＭ中のオフセット値を通信する。行為５３６において、ＵＥ５０２は、１ｘネイティブ動作に従ってＵＨＤＭ中の探索オフセットを使用して１ｘＢＳ５１２と通信する。
【００４０】
図６に、図２に示したＩＷＳサーバ２３２など、ＲＡＴ間通信システム６００の詳細ブロック図を示す。ＲＡＴ間通信システム６００は、任意のタイプのハードウェア、サーバ、パーソナルコンピュータ、ミニコンピュータ、メインフレームコンピュータ、あるいは専用コンピューティングデバイスまたは汎用コンピューティングデバイスのいずれかの任意のコンピューティングデバイスのうちの少なくとも１つを含み得る。さらに、本明細書において、コンテンツシステム６００上で動作するものとして、またはコンテンツシステム６００によって実行されるものとして説明するモジュールおよびアプリケーションは、図６に示すように、単一のネットワークデバイス上で完全に実行され得、あるいは、代替的に、他の態様では、別個のサーバ、データベースまたはコンピュータデバイスが協働して動作して、使用可能なフォーマットのデータを当事者に提供し得、および／またはＵＥ２０２、移動局２３８などのデバイスと、ＲＡＴ間通信システム６００によって実行されるモジュールおよびアプリケーションとの間のデータフローにおける別個の制御レイヤを提供し得る。
【００４１】
ＲＡＴ間通信システム６００は、ワイヤードネットワークおよびワイヤレスネットワーク上でデータを送信および受信することができ、ルーチンおよびアプリケーションを実行することができる、コンピュータプラットフォーム６０２を含む。コンピュータプラットフォーム６０２は、読取り専用および／またはランダムアクセスメモリ（ＲＯＭおよびＲＡＭ）、ＥＰＲＯＭ、ＥＥＰＲＯＭ、フラッシュカード、またはコンピュータプラットフォームに共通したいずれかのメモリなどの揮発性および不揮発性メモリを備え得るメモリ６０４を含む。さらに、メモリ６０４は、１つまたは複数のフラッシュメモリセルを含み得るか、あるいは、磁気メディア、光メディア、テープ、またはソフトもしくはハードディスクなど、２次または３次記憶デバイスであり得る。さらに、コンピュータプラットフォーム６０２は、特定用途向け集積回路（「ＡＳＩＣ」）、または他のチップセット、論理回路、または他のデータ処理デバイスであり得るプロセッサ６３０をも含む。プロセッサ６３０は、ＲＡＴ間通信システム６００の機能と、ワイヤードネットワークまたはワイヤレスネットワーク上でのネットワークデバイスの動作とを可能にする、ハードウェア、ファームウェア、ソフトウェア、およびそれらの組合せで実施される様々な処理サブシステム６３２を含み得る。
【００４２】
一態様では、プロセッサ６３０および／または通信モジュール６５０は、ｅＮＢによって要求され、ＵＥによって実行される測定から取得された、１ｘネットワーク中の各１ｘパイロットＰＮについての少なくとも１つの測定値を含むメッセージを受信するための手段を提供し得る。プロセッサ６３０および／またはパイロット探索最適化モジュール６１０は、１ｘネットワーク中でのパイロット探索のために使用するために、ＵＥについての少なくとも１つの測定値に基づいて、１つまたは複数のパラメータを選択するための手段をさらに提供し得る。プロセッサ６３０および／または通信モジュール６５０は、１ｘネットワーク中でのパイロット探索のために、パイロット探索のための選択された１つまたは複数のパラメータをＵＥに送信するための手段をさらに提供し得る。
【００４３】
コンピュータプラットフォーム６０２は、ＲＡＴ間通信システム６００の様々な構成要素間の通信、ならびにＲＡＴ間通信システム６００とＵＥ２０２との間の通信を可能にする、ハードウェア、ファームウェア、ソフトウェア、およびそれらの組合せで実施される通信モジュール６５０をさらに含む。通信モジュール６５０は、ワイヤレス通信接続を確立するための必要なハードウェア、ファームウェア、ソフトウェア、および／またはそれらの組合せを含み得る。説明する態様によれば、通信モジュール６５０は、ＩＷＳ２３２とＵＥ２０２との間のワイヤレスおよび／またはワイヤライン通信を可能にするために必要なハードウェア、ファームウェアおよび／またはソフトウェアを含み得る。
【００４４】
ＲＡＴ間通信システム６００のメモリ６０４は、ＲＡＴ間通信のためのウィンドウサイズ選択を最適化するように動作可能であり得るパイロット探索最適化モジュール６１０を含む。一態様では、ＲＡＴ間通信システム６００は、測定値受信モジュール６１２とウィンドウサイズ選択モジュール６１６とを含み得る。ウィンドウサイズ選択モジュール６１４は、ＵＥについてのパイロット探索のための最適なパラメータを判断し得る。一態様では、パイロット探索のためのパラメータは、各利用可能なセルのウィンドウサイズであり得る。別の態様では、パイロット探索のためのパラメータは、各利用可能なセルについてのパイロットＰＮ位相シフト値であり得る。
【００４５】
一動作態様では、測定値受信モジュール６１２はｅＮＢから様々な測定値を受信し得る。一態様では、ｅＮＢは各ＰＮについてのウィンドウサイズ値を記憶し得る。ｅＮＢは、次いで、測定対象中の記憶されたＰＮの中のウィンドウサイズの最大値を設定し得る。一態様では、１ｘパイロット測定が１ｘＣＳＦＢのために実行された場合、ＵＥは、パイロットリスト情報要素（ＩＥ）中で１ｘパイロット測定結果を送り得る。測定値受信モジュール６１２は、ＭＭＥを介したアップリンク（ＵＬ）Ｃ２Ｋトンネリングメッセージ中でパイロットリストＩＥを受信し得る。そのようなメッセージは、パイロットリストＩＥ中の報告されたＰＮに関連する各パイロットについてのｅＮＢ中の記憶された情報に基づいて設定されたウィンドウサイズを含み得る。その後、ＲＡＴ間通信システム６００が１つまたは複数のチャネルを割り当てたとき、ウィンドウサイズ選択モジュール６１４は、ｅＮＢによって与えられた情報に基づいてウィンドウサイズを判断する。ＲＡＴ間通信システム６００は、割り当てられた（１つまたは複数の）ＰＮとともに１ｘＵＨＤＭ中のウィンドウサイズ（たとえば、アクティブな候補セットのための探索ウィンドウ、ネイバーセットのための探索ウィンドウ、残りのセットのための探索ウィンドウなど）を通信する。動作中、ＵＥは、１ｘネイティブ動作に従ってＵＨＤＭ中で受信された値を使用し得る。
【００４６】
別の動作態様では、１ｘボイス呼がトリガされたとき（たとえば、モバイル発生１ｘ呼）、ＵＥは拡張サービス要求を実行し得る。そのような動作態様では、ｅＮＢは、測定報告においてパイロット強度とパイロットＰＮ位相の両方を報告するようにＵＥに促すように測定対象を構成し得る。測定値受信モジュール６１２は、測定値の少なくとも一部分であり得る。たとえば、ｅＮＢがＧＣＳＮＡカプセル化１ｘ開始メッセージを含んでいるＵＬハンドオーバプレップ転送を受信したとき、ｅＮＢは、測定結果（たとえば、Ａ２１パイロットリストＩＥ）とともにＧＣＳＮＡカプセル化１ｘ開始メッセージをフォワーディングし、測定値受信モジュール６１２はそれを受信する。動作中、Ａ２１パイロットリストＩＥは、各ＰＮについての測定されたパイロットＰＮ位相値を含んでいる。ウィンドウサイズ選択モジュール６１４は、報告されたパイロットＰＮ位相に基づいて探索オフセット値（たとえば、ＳＲＣＨ＿ＯＦＦＳＥＴ）を適宜に判断し得る。たとえば、測定されたパイロットのピーク位相がしきい値を超える場合、探索オフセット値が設定され得る。ＲＡＴ間通信システム６００はＵＨＤＭをＵＥに通信し、ＵＥは、１ｘ規格において定義されている探索オフセット値（たとえば、ＳＲＣＨ＿ＯＦＦＳＥＴ）を使用する。
【００４７】
別の動作態様では、測定値受信モジュール６１２は、探索オフセットと探索ウィンドウサイズの両方を受信し得る。そのような態様では、ウィンドウサイズ選択モジュール６１４は、両方の受信した値に基づいてパイロット探索のためのパラメータを判断し得る。
【００４８】
別の動作態様では、ＲＡＴ間通信システム６００は、探索ウィンドウサイズに関係する詳細な情報をＵＥに通知するために、ＵＨＤＭとともに一般ネイバーリストメッセージ（ＧＮＬＭ：general neighbor list message）を通信する。そのような態様では、合成ＧＮＬＭおよびＵＨＤＭは、ＵＥによる効率的なネイバー探索を可能にする。ＧＮＬＭ中の情報は、ｅＮＢによって報告された測定結果を使用して構成され得る。
【００４９】
図７および図８に、請求する主題による様々な方法を示す。説明を簡単にするために、方法を一連の行為として図示および説明するが、いくつかの行為は本明細書で図示および説明する行為とは異なる順序で、および／または他の行為と同時に、行われ得るので、請求する主題は行為の順序によって限定されないことを理解および諒解されたい。たとえば、方法は、状態図など、一連の相互に関係する状態またはイベントとして代替的に表現され得ることを、当業者は理解し、諒解するであろう。さらに、請求する主題による方法を実装するために、図示のすべての行為が必要とされるわけではない。さらに、以下および本明細書の全体にわたって開示する方法は、そのような方法をコンピュータに移送および転送することを可能にする製造品に記憶することが可能であることをさらに諒解されたい。本明細書で使用する製造品という用語は、任意のコンピュータ可読デバイス、キャリア、または媒体からアクセス可能なコンピュータプログラムを包含するものとする。
【００５０】
図７は、独立したＩＷＳからＵＥの最適ウィンドウサイズ選択を判断するための方法のフローチャート７００である。
【００５１】
概して、ｅＮＢは、ウィンドウサイズ、およびＰＮ位相など、ＰＮごとに様々なパラメータを保持し得る。一態様では、ｅＮＢは、測定対象中のＰＮの中のウィンドウサイズの最大値を設定し得る。別の態様では、ｅＮＢは、測定報告においてＵＥにパイロットＰＮ位相を報告させるように測定対象を構成し得る。１ｘパイロット測定が１ｘＣＳＦＢのためにＵＥによって実行された場合、ＵＥは、パイロットリスト情報要素中で１ｘパイロット測定結果を送る。
【００５２】
ブロック７０２において、ＩＷＳは、ＵＥによって報告された各ＰＮ測定についての測定値を受信する。一態様では、ｅＮＢ送信ＵＬ  Ｃ２ＫトンネリングメッセージパイロットリストＩＥはＩＷＳによって受信される。別の態様では、パイロットリストＩＥは各パイロットのウィンドウサイズを含む。別の態様では、ｅＮＢは、ＩＷＳによる受信のために各ＰＮについての測定されたパイロットＰＮ位相を含む測定結果とともにＧＣＳＮＡカプセル化１ｘ開始メッセージをフォワーディングする。
【００５３】
ブロック７０４において、ＩＷＳは、受信した測定値に基づいてＵＥについてのパイロット探索のためのパラメータを選択する。一態様では、ＩＷＳは、１つまたは複数のチャネルを割り当て、ｅＮＢによって与えられた情報に基づいて１ｘＣＳＦＢ中に使用するためのパラメータを判断し得る。別の態様では、ＩＷＳは、報告されたパイロットＰＮ位相に基づいて探索オフセット値（たとえばＳＲＣＨ＿ＯＦＦＳＥＴ）を適宜に判断する。たとえば、測定されたパイロットのピーク位相がしきい値を超える場合、ＳＲＣＨ＿ＯＦＦＳＥＴが設定される。別の態様では、パイロット探索のためのパラメータは、受信した探索オフセット値とウィンドウサイズ値との組合せに基づいて判断され得る。
【００５４】
ブロック７０６において、ＩＷＳは、パイロット探索のための選択されたパラメータをＵＥに送信する。一態様では、送信は、割り当てられた（１つまたは複数の）ＰＮとともに１ｘＵＨＤＭ中のウィンドウサイズ（たとえば、アクティブな候補セットのための探索ウィンドウ、ネイバーセットのための探索ウィンドウ、残りのセットのための探索ウィンドウなど）および探索オフセット値の任意の組合せを含み得る。ＵＥは、１ｘネイティブ動作に従って、受信した（１つまたは複数の）パラメータ（たとえば、探索ウィンドウサイズ、探索オフセット）を使用し得る。
【００５５】
図８は、独立したＩＷＳにＵＥの最適ウィンドウサイズを与えるための方法のフローチャート８００である。
【００５６】
ブロック８０２において、ｅＮＢは、複数の１ｘパイロットＰＮの各々についての探索ウィンドウサイズ値を記憶する。たとえば、ｅＮＢは、ＰＮ１、ＰＮ２、およびＰＮ３についての探索ウィンドウサイズ値をそれぞれ１、２、および３として記憶し得る。ブロック８０４において、ｅＮＢは、記憶された探索ウィンドウサイズ値の最大探索ウィンドウサイズ値を判断する。記載の例では、最大探索ウィンドウサイズ値は３であり得る。ブロック８０６において、ｅＮＢは、最大探索ウィンドウサイズ値を使用して複数の１ｘパイロットＰＮについての測定を実行するようにＵＥに促すように測定対象を構成する。記載の例では、ｅＮＢが測定対象を構成するとき、ｅＮＢは探索ウィンドウサイズとして３を使用し、ＰＮを測定するようにＵＥに促す。ブロック８０８において、ｅＮＢは測定対象をＵＥに送信する。その後、ＵＥは、ＰＮについての測定のために探索ウィンドウサイズ３を使用し得る。ブロック８１０において、ｅＮＢは、ＵＥから、たとえば、ＰＮ１、ＰＮ２およびＰＮ３についての結果を含む測定報告を受信する。ブロック８１２において、ｅＮＢは、パイロットリストメッセージを生成および送信し、記憶された情報に基づく探索ウィンドウサイズを含む（たとえば、パイロットリストＩＥは、探索ウィンドウサイズ１を用いたＰＮ１についてのパイロット強度と、探索ウィンドウサイズ２を用いたＰＮ２についてのパイロット強度と、探索ウィンドウサイズ３を用いたＰＮ３についてのパイロット強度とを含む）。
【００５７】
図９は、例示的な装置１００の機能を示す概念ブロック図９００である。装置１００は、ｅＮＢによって要求され、ＵＥによって実行される測定から取得された、１ｘネットワーク中の各１ｘパイロットＰＮについての少なくとも１つの測定値９０４を含むメッセージを受信するモジュール９０２と、１ｘネットワーク中でのパイロット探索のために使用するために、ＵＥについての少なくとも１つの測定値９０４に基づいて１つまたは複数のパラメータ９１０を選択するモジュール９０６と、１ｘネットワーク中でのパイロット探索のために、パイロット探索のための選択された１つまたは複数のパラメータ９１０をＵＥに送信するモジュール９０８とを含む。装置１００は、上述のフローチャート中のステップの各々を実行する追加のモジュールを含み得る。したがって、上述のフローチャート中の各ステップは、１つのモジュールによって実行され得、装置１００は、それらのモジュールのうちの１つまたは複数を含み得る。
【００５８】
一構成では、ワイヤレス通信のための装置１００は、最適探索ウィンドウサイズまたは最適探索オフセット値のうちの少なくとも１つを選択するための手段を含む。ワイヤレス通信のための装置１００は、各アクティブな候補１ｘＰＮの探索ウィンドウサイズを判断するための手段と、１ｘネットワーク中のネイバーセットの探索ウィンドウサイズを判断するための手段と、１ｘネットワーク中の各残りのセットの探索ウィンドウを判断するための手段とをさらに含む。ワイヤレス通信のための装置１００は、少なくとも１つの測定値がしきい位相値を超えると判断するための手段と、少なくとも１つの測定値のピーク位相値に基づいて最適探索オフセット値を判断するための手段とをさらに含む。ワイヤレス通信のための装置１００は、アップリンクＣ２Ｋトンネリングメッセージを使用してメッセージを受信するための手段をさらに含む。一構成では、ワイヤレス通信のための装置１００は、ＧＣＳＮＡ（ＵＨＤＭ）メッセージを使用して選択された１つまたは複数のフォールバック値を送信するための手段をさらに含む。別の構成では、ワイヤレス通信のための装置１００は、パイロットチャネル情報要素を使用して少なくとも１つの測定値を受信するための手段をさらに含む。
【００５９】
上述の手段は、上述の手段によって具陳される機能を実行するように構成された、装置１００（図６参照）および／または処理システム１１４の上述のモジュールのうちの１つまたは複数であり得る。上記で説明したように、処理システム１１４はプロセッサ６３０を含む。したがって、一構成では、上述の手段は、上述の手段によって具陳される機能を実行するように構成されたプロセッサ６３０であり得る。
【００６０】
図１０は、例示的な装置１００の機能を示す概念ブロック図１０００である。装置１００は、複数の１ｘパイロットＰＮの各々についての探索ウィンドウサイズ値９０４を受信および／または記憶するモジュール１００２と、最大探索ウィンドウサイズ値を使用して測定対象を生成する測定対象モジュール１００６と、測定を実行するようにＵＥに促すために、生成された測定対象１０１０をＵＥに送信する送信モジュール１００８とを含む。装置１００は、上述のフローチャート中のステップの各々を実行する追加のモジュールを含み得る。したがって、上述のフローチャート中の各ステップは、１つのモジュールによって実行され得、装置１００は、それらのモジュールのうちの１つまたは複数を含み得る。
【００６１】
一構成では、ワイヤレス通信のための装置１００は、送信された測定対象に応答してＵＥから測定報告を受信するための手段であって、測定報告が複数の１ｘパイロットＰＮの各々に関連するパイロット強度値を含む、受信するための手段と、複数の１ｘパイロットＰＮの各々についてのパイロット強度値と記憶された探索ウィンドウサイズ値とを含むパイロットリストメッセージを生成するための手段と、パイロットリストメッセージをＩＷＳに送信するための手段とを含む。ワイヤレス通信のための装置１００は、アップリンクＣ２Ｋトンネリングメッセージを使用してパイロットリストメッセージを送信するための手段をさらに含む。
【００６２】
上述の手段は、上述の手段によって具陳される機能を実行するように構成された、装置１００（図２、ｅノードＢ２０６参照）および／または処理システム１１４の上述のモジュールのうちの１つまたは複数であり得る。上記で説明したように、処理システム１１４はｅノードＢ２０６を含む。したがって、一構成では、上述の手段は、上述の手段によって具陳される機能を実行するように構成されたｅノードＢ２０６であり得る。
【００６３】
開示したプロセス中のステップの特定の順序または階層は、例示的な手法の一例であることを理解されたい。設計上の選好に基づいて、プロセス中のステップの特定の順序または階層は再構成され得ることを理解されたい。添付の方法クレームは、様々なステップの要素を例示的な順序で提示したものであり、提示された特定の順序または階層に限定されるものではない。
【００６４】
以上の説明は、当業者が本明細書で説明した様々な態様を実行できるようにするために提供したものである。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という用語は「１つまたは複数の」を指す。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
【図１】
2013540383.tif 000003
【図２】
2013540383.tif 000004
【図３】
2013540383.tif 000005
【図４】
2013540383.tif 000006
【図５】
2013540383.tif 000007
【図６】
2013540383.tif 000008
【図７】
2013540383.tif 000009
【図８】
2013540383.tif 000010
【図９】
2013540383.tif 000011
【図１０】
2013540383.tif 000012
【国際調査報告】
2013540383.tif 000013
2013540383.tif 000014
2013540383.tif 000015
2013540383.tif 000016